(57)【要約】【課題】デジタルカメラで撮影された画像データに撮影されている被写体の特定を容易にする画像処理システムを構成する。【解決手段】ストロボ光を受光した受光時刻を保存する被写体特定タグＴを人物Ａに装着する。デジタルカメラＤで撮影が行われた後に被写体特定タグＴに保存された受光時刻情報と、デジタルカメラＤで撮影された画像データの撮影時刻情報とが一致又は近似するものを抽出する。この抽出結果から被写体特定タグＴの識別情報と画像データとを関連付情報で関連付け、受付装置Ｃでは複数の画像データのうち識別情報に関連付けられたものだけをモニタ３３に表示することでオーダデータの取得を容易に行わせる。【選択図】図１
2010147890.tif 000002
【特許請求の範囲】
【請求項１】
デジタルカメラの撮影時に被写体に向けて送り出される光線を受ける受光素子と、時刻を刻むタイマーと、受光素子で光線を受けたタイミングにおける前記タイマーのタイマー情報を保存する受光タイミング保存処理部とを備えている被写体特定タグ。
【請求項２】
前記受光タイミング保存処理部からのタイマー情報と、識別情報とを保存する半導体メモリを備えると共に、この半導体メモリに保存されているタイマー情報と、識別情報とを外部に送り出す出力制御部を備えている請求項１記載の被写体特定タグ。
【請求項３】
請求項１記載の被写体特定タグを複数用い、この複数の被写体特定タグに保存されている前記タイマー情報としての受光時刻情報と、デジタルカメラで撮影された各画像データの撮影タイミング情報としての撮影時刻情報とを比較し、受光時刻情報が撮影時刻情報と一致するもの又は近似するものを抽出し、各画像データと被写体特定タグとを関連付情報によって関連付ける関連付手段を備えている画像処理システム。
【請求項４】
デジタルカメラで撮影された画像データを取得する画像データ取得手段と、画像データに関連付けて記録されている撮影時刻情報を取得する撮影時刻情報取得手段と、モニタにオーダ画面を表示するオーダ画面表示手段とを備えており、
前記オーダ画面表示手段は、前記画像データ取得手段で取得した画像データのうち、同じ被写体特定タグに関連付けられたものを抽出してモニタに表示するソート表示モードと、前記画像データ取得手段で取得した画像データの全てをモニタに表示する一覧表示モードとの表示を行うと共に、一覧表示モードでは、被写体特定タグに関連付けられている画像データの強調表示を行う請求項３記載の画像処理システム。
【請求項５】
前記モニタに表示された画像データのうち出力対象とするものの指定と、出力数の指定とを行う入力端末を備え、この入力端末によって出力対象に指定された画像データを特定する情報と、出力数とをオーダデータとして保存するオーダデータ取得手段を備えている請求項４記載の画像処理システム。
【発明の詳細な説明】
【技術分野】
【０００１】
本発明は、被写体特定タグ及び画像処理システムに関し、詳しくは、デジタルカメラで撮影された複数の画像データから被写体が撮影されたものを特定する技術に関する。
【背景技術】
【０００２】
デジタルカメラで撮影された複数の画像データから被写体を特定する技術に関連するものとして特許文献１には、被写体としての来園者各々が無線タグを所持し、遊園地内を撮影するデジタルカメラは無線タグ等とタグＩＤを交信する機能と、撮影した撮影画像（本発明では画像データ）とタグＩＤとを画像サーバに送る機能とを有している点が示されている。端末装置においてタグＩＤを基にして撮影済み画像データからタグＩＤを持つものを読み出して画面に表示し、指定した画像のプリントの注文も受けるように構成されている。
【０００３】
つまり、特許文献１では、デジタルカメラから所定の距離の領域内に存在する被写体を撮影した場合には、撮影画像と共に被写体が所持する無線タグ等のタグＩＤが撮影画像とともに保存され、タグＩＤを指定することにより、そのタグＩＤを含む撮影画像が抽出されるため、多くの撮影画像から特定の被写体が撮影されたものを探し出す手間を軽減できるものにしている。
【０００４】
【特許文献１】特開２００５‐２１６０９２号公報  （段落番号〔０００６〕、〔０００７〕、図１〜図５）
【発明の開示】
【発明が解決しようとする課題】
【０００５】
特許文献１に記載されたように遊園地に限らず、学校の行事、会社の行事、個人的なパーティのように多くの人物が撮影される環境にあっては、デジタルカメラで撮影された画像データ毎に、その画像データに撮影されている人物を特定できることが、プリントの注文を受けることや、プリントされた画像データの仕分けを容易にする。
【０００６】
そこで、特許文献１に記載されるように、被写体となる人物が無線タグ等を所持し、デジタルカメラの近傍の人物が所持する無線タグ等のタグＩＤをデジタルカメラが取得するものでは、撮影時にカメラに背を向けている人物や、カメラの撮影領域から大きく外れた位置に存在する人物のタグＩＤも取得することになる。従って、タグＩＤから撮影画像をソートした場合には、背を向けた状態で撮影された撮影画像や、画像中に含まれない撮影画像も抽出されることになり、必要とする撮影画像を選択する際に時間が掛かるものとなり改善の余地がある。
【０００７】
また、特許文献１のようにタグＩＤを取得し、撮影画像をサーバに伝送するデジタルカメラは、市販されているデジタルカメラをそのまま使用できず、タグＩＤを受信するため機能を付加する改造や、サーバに撮影画像を伝送するための装置類をカメラの外部に備える等の対応が必要となるばかりか、システムが複雑化しやすく、これらの点において改善の余地がある。
【０００８】
本発明の目的は、デジタルカメラで撮影された画像データに撮影されている被写体の特定を容易にする被写体特定タグ及び画像処理システムを合理的に構成する点にある。
【課題を解決するための手段】
【０００９】
本発明の特徴は、デジタルカメラの撮影時に被写体に向けて送り出される光線を受ける受光素子と、時刻を刻むタイマーと、受光素子で光線を受けたタイミングにおける前記タイマーのタイマー情報を保存する受光タイミング保存処理部とを備えて被写体特定タグを構成した点にある。
【００１０】
この構成によると、デジタルカメラで被写体を撮影する際に可視光を発光させるストロボや、赤外光を発光させるストロボが用いられた場合には、ストロボからの光線を受ける範囲に存在する被写体（例えば、人物）の受光素子が光線を受けることになる。そして、光線を受けたタイミングでのタイマーのタイマー情報が保存される。特に、この被写体特定タグを被写体としての人物の胸や襟元に備えておくと、人物の顔がデジタルカメラに向かう姿勢にある状態で受光素子がストロボからの光線を受けることになる。また、一般的なデジタルカメラは、撮影した画像データ毎に撮影時刻を保存する機能を有している。このため、この画像データ毎の撮影時刻と、タイマー情報との比較により、画像データ毎に被写体を特定することが可能となる。このように、デジタルカメラで撮影された画像データに撮影されている被写体の特定を容易にする被写体特定タグが構成された。
【００１１】
本発明は、前記受光タイミング保存処理部からのタイマー情報と、識別情報とを保存する半導体メモリを備えると共に、この半導体メモリに保存されているタイマー情報と、識別情報とを外部に送り出す出力制御部を備えても良い。これによると、被写体特定タグの半導体メモリに保存されている受光時刻情報と識別情報とを出力制御部を介して外部に送り出すことが可能となり、複数の被写体特定タグを用いても被写体が撮影された画像データの特定が可能となる。
【００１２】
本発明の特徴は、請求項１記載の被写体特定タグを複数用い、この複数の被写体特定タグに保存されている前記タイマー情報としての受光時刻情報と、デジタルカメラで撮影された各画像データの撮影タイミング情報としての撮影時刻情報とを比較し、受光時刻情報が撮影時刻情報と一致するもの又は近似するものを抽出し、各画像データと被写体特定タグとを関連付情報によって関連付ける関連付手段を備えている点にある。
【００１３】
この構成によると、複数の被写体特定タグから受光時刻情報（タイマー情報）を取得し、デジタルカメラで撮影された各画像データの撮影時刻情報（撮影タイミング情報）と比較され、一致するもの又は近似する画像データと被写体特定タグとが関連付情報で関連付けられる。これにより、デジタルカメラで撮影された画像データに撮影されている被写体を関連付情報から特定できる画像処理システムが構成された。
【００１４】
本発明は、デジタルカメラで撮影された画像データを取得する画像データ取得手段と、画像データに関連付けて記録されている撮影時刻情報を取得する撮影時刻情報取得手段と、モニタにオーダ画面を表示するオーダ画面表示手段とを備えており、前記オーダ画面表示手段は、前記画像データ取得手段で取得した画像データのうち、同じ被写体特定タグに関連付けられたものを抽出してモニタに表示するソート表示モードと、前記画像データ取得手段で取得した画像データの全てをモニタに表示する一覧表示モードとの表示を行うと共に、一覧表示モードでは、被写体特定タグに関連付けられている画像データの強調表示を行っても良い。これによると、ソート表示モードでは、被写体としての人物が撮影されている画像データだけをオーダ画面に表示でき、一覧表示モードではオーダ画面に全ての画像データの表示が可能になると共に、表示された画像データのうち被写体としての人物が撮影されている可能性のあるものを強調表示に基づいて把握できる。
【００１５】
本発明は、前記モニタに表示された画像データのうち出力対象とするものの指定と、出力数の指定とを行う入力端末を備え、この入力端末によって出力対象に指定された画像データを特定する情報と、出力数とをオーダデータとして保存するオーダデータ取得手段を備えても良い。これによると、モニタに表示された画像データを出力対象に指定し、プリント枚数等の出力数も設定できる。
【発明を実施するための最良の形態】
【００１６】
以下、本発明の実施形態を図面に基づいて説明する。
〔基本構成〕
図１に示すように、被写体としての複数の人物Ａに装着される被写体特定タグＴが用いられると共に、この被写体特定タグＴの識別情報の編集とタイマーの時刻の調整とを行い、かつ、デジタルカメラＤで撮影された画像データを取得し保持する処理端末Ｂを備え、この処理端末Ｂから伝送された画像データを取得し、この各画像データのうち被写体特定タグＴの識別情報で特定される人物Ａが撮影されているものをオーダ画面６０（図７を参照）に表示する形態でオーダを受ける受付装置Ｃを備えて画像処理システムが構成されている。
【００１７】
処理端末Ｂと、２台の受付装置Ｃとは通信ネットワークＬで接続されている。通信ネットワークＬは、情報を物理的に送るケーブル１と、ＬＡＮスイッチやハブ等で成る中継器２を備えたＣＳＭＡ／ＣＤ（Carrier Sense Multiple Access with Collision Detection）方式のイーサネット（Ethernet）（商標）型のＬＡＮとして構築されている。尚、受付装置Ｃは１台だけでも良く、３台以上でも良い。通信ネットワークＬは、インターネットの技術を用いたイントラネットで構築して良く、無線ＬＡＮの技術によりケーブルを用いずに構築しても良い。
【００１８】
図面には示していないが、受付装置Ｃでオーダを受付けた後には、オーダデータに基づきプリント装置（図示せず）において印画紙等のプリント媒体に画像データをプリントする処理や、ディスクライタ（図示せず）においてＣＤ−Ｒ等のメディアに画像データを書き込み電子アルバムを作成する処理等の出力処理が実現する。
【００１９】
この画像処理システムは、結婚式やパーティ、あるいは、学校や会社のイベントにおいて、識別情報や人物Ａの名前を付与した被写体特定タグＴを人物Ａの人数の数だけ準備し、夫々の被写体特定タグＴを、被写体としての人物Ａの胸のポケットや襟元に装着して撮影が行われる。撮影にはストロボ発光器Ｄｓを備えたデジタルカメラＤが使用され、人物Ａが撮影された場合には、被写体特定タグＴが撮影時にストロボ光を受光する毎に内部のタイマーのタイマー情報として受光時刻情報を保存する。
【００２０】
つまり、撮影時にデジタルカメラＤのストロボ光を受光する領域に人物Ａが存在し、かつ、その人物ＡがデジタルカメラＤの方向に向かう姿勢にある場合にのみ、人物Ａに装着された被写体特定タグＴがストロボ光を受光する。従って、この被写体特定タグＴの受光時刻情報から人物Ａが画像データに撮影されているか、否かの判別を可能にする。
【００２１】
この後、処理端末ＢがデジタルカメラＤの画像データを取得した場合には、画像データのＥｘｉｆ情報から撮影時刻情報を取得して撮影時刻テーブルを作成し、この撮影時刻テーブルと画像データを受付装置Ｃに伝送する。
【００２２】
受付装置Ｃでは、被写体特定タグＴから識別情報と受光時刻情報とを取得した場合には、この受光時刻情報と撮影時刻テーブルの撮影時刻情報との比較を行うことで画像データ毎に撮影されている人物を特定して受付装置Ｃのモニタ３３に識別可能に表示する。これにより、この画像処理システムでは、受付装置Ｃを操作するユーザは、自分が撮影されていない画像データを無駄にチェックする必要がなく能率的に写真プリントの注文や、電子アルバムの注文を行える。
【００２３】
この画像処理システムでは、画像データのＥｘｉｆ情報から撮影時刻情報を取得するように処理形態が設定されているが、必ずしもＥｘｉｆ情報を用いる必要はなく、例えば、デジタルカメラＤにおいて撮影が行われる毎に撮影時刻情報を保存する処理を行うための回路等を備え、これらから撮影時刻情報を取得できるように構成しても良い。
【００２４】
この画像処理システムでは、被写体特定タグＴを人物の正面側に装着するので、撮影時にデジタルカメラＤに背を向けた姿勢にある場合には、画像データに人物が撮影されているものの、撮影されていない状態と同様に扱われる。
【００２５】
デジタルカメラＤに備えられるストロボ発光器Ｄｓの照射領域は、デジタルカメラＤのレンズの撮影領域と一致することが理想であるものの、このストロボ光の照射領域は撮影領域より少し広いのが普通である。従って、撮影時刻情報と受光時刻情報とに基づいて画像データ毎に撮影されている人物を特定した場合には、その人物が撮影されていない画像データが受付装置Ｃに表示されることになる。このような場合には、その人物が撮影の有無を、その人物（ユーザ）が判断することで対応できる。
【００２６】
この画像処理システムは、可視光領域のストロボ光を受光することで受光時刻を保存する被写体特定タグＴを用いるものであるが、例えば、赤外光領域のストロボ光を受光した際に受光時刻を保存する被写体特定タグＴを用いると共に、赤外光を発光するストロボ発光器Ｄｓを用いて撮影を行うことにより、屋外や充分な明るさの室内で撮影時にストロボ発光器Ｄｓによる過剰な照明を回避できるように構成することも可能である。
【００２７】
〔被写体特定タグ〕
被写体特定タグＴは、図３（ａ）、（ｂ）に示すように胸のポケットや襟に装着するためのクリップ５を裏面に備えたカード状のタグ本体１０を有している。タグ本体１０には、図２に示すように受光素子Ｓと、トリガー回路１１と、タイマー１２と、受光時刻情報保存処理部１３（受光タイミング保存処理部の一例）と、半導体メモリ１４と、入出力制御回路１５と、出力制御部１６と、識別情報編集部１７と、タイマー調整部１８とを備えている。この被写体特定タグＴは、電池（図示せず）を内蔵しており、マイクロプロセッサによって制御される。表面側には、受光素子Ｓの受光部を露出させ、数字で成る識別情報（図面ではＩＤと表記）が数字でプリントされている。
【００２８】
この被写体特定タグＴは、必ずしもクリップ５を備える必要はなく、安全ピンで衣服に装着するものでも、粘着テープ等で衣服に粘着するものでも良い。また、ネックレスやイヤリング、ピアスのよう体に着ける形態で使用するものでも良い。
【００２９】
受光素子Ｓは、フォトダイオードやフォトトランジスタ等で構成されている。尚、赤外光を用いる場合には、赤外光を感知する受光素子Ｓが用いられ、赤外光を透過する光学フィルタが用いられる。トリガー回路１１は、受光素子Ｓから短時間のうちに設定値を超える光量の受光信号を受光した場合に制御信号を出力する。
【００３０】
タイマー１２は、水晶発振子、カウンター、デコーダ等を備えることにより年月日時刻（時刻は時間・分・秒の単位）の情報を継続的に刻むように構成されている。受光時刻情報保存処理部１３は、受光タイミング保存処理部として機能するものであり、トリガー回路１１からの制御信号を取得したタイミングでタイマー１２の時刻情報（タイマー情報）を取得し、その時刻情報をＣＳＶ等のデータ構造で半導体メモリ１４に保存する（書き込む）。
【００３１】
半導体メモリ１４は、ＥＥＰＲＯＭ型の不揮発性のものやスタティックＲＡＭ等が用いられ、受光時刻情報と識別情報とを保存する。この半導体メモリ１４には受光時刻情報保存領域１４Ａと、識別情報保存領域１４Ｂとが形成されている。入出力制御回路１５は、アンテナ１５Ａを介して無接触式に情報の送受信を行う。出力制御部１６は、半導体メモリ１４の情報を読み出して入出力制御回路１５に与える処理を行う。識別情報編集部１７は、入出力制御回路１５を介して取得した情報に基づいて識別情報保存領域１４Ｂの識別情報の編集を行う。タイマー調整部１８は、入出力制御回路１５を介して取得した情報に基づいてタイマー１２の調整を行う。
【００３２】
被写体特定タグＴでは、受光時刻情報保存処理部１３と、識別情報編集部１７と、タイマー調整部１８とがソフトウエアで構成され、このソフトウエアはマイクロプロセッサで実行される。尚、受光時刻情報保存処理部１３と、識別情報編集部１７と、タイマー調整部１８とをソフトウエアとハードウエアとの組み合わせで構成して良く、ハードウエアのみによって構成しても良い。
【００３３】
被写体特定タグＴは、トリガー回路１１からの制御信号を受光時刻情報保存処理部１３が取得する毎に、受光時刻情報保存処理部１３がタイマー１２の時刻情報を取得し受光時刻情報保存領域１４Ａに保存する。この場合、ＣＳＶ等のデータ構造に従って受光時刻情報の保存が行われる。この後、入出力制御回路１５が半導体メモリ１４の情報を要求する制御コードを受信した場合には、この制御コードを入出力制御回路１５に与えることにより、受光時刻情報保存領域１４Ａに保存されている受光時刻情報と、識別情報保存領域１４Ｂに保存されている識別情報とを入出力制御回路１５が読み出し、この入出力制御回路１５は受光時刻情報と識別情報とをアンテナ１５Ａを介して送り出す。
【００３４】
更に、識別情報編集部１７は、入出力制御回路１５を介して取得した情報に基づいて識別情報保存領域１４Ｂに保存されている識別情報に人物の名前を付加することや、識別情報保存領域１４Ｂに保存されている識別情報を変更する等の処理を行う。タイマー調整部１８は入出力制御回路１５を介して取得した情報に基づいてタイマー１２の年月日時刻（時刻は時間・分・秒の単位）の情報の再設定や調整を行う。
【００３５】
〔処理端末・受付装置〕
処理端末Ｂは、図１に示すようにマイクロプロセッサを備えたコンピュータ本体２１と、情報を表示するディスプレイ２２と、情報入力端末として機能するキーボード２３と、ポインティングデバイスとして機能するマウス２４と、被写体特定タグＴとの間で情報のアクセスを行うカードリーダ２５とを備えている。コンピュータ本体２１にはデジタルカメラＤで撮影に使用された半導体型のメディアＭから画像データを取得するメディアドライブ２１Ａを備えている。
【００３６】
受付装置Ｃは、筐体３１と、筐体３１の外部において被写体特定タグＴとの間で情報のアクセスを行うカードリーダ３２とを備えると共に、筐体３１の上部に液晶型のモニタ３３を備え、筐体３１の前面側に引換証プリンタ３４を備え、内部に制御ユニット３５を備えている。モニタ３３の表示面には入力端末としてのタッチパネル３３Ａが形成され、引換証プリンタ３４は引換証Ｒをプリントする。
【００３７】
この受付装置Ｃは、筐体３１の内部に制御ユニット３５を備えており、この制御ユニット３５は、モニタ３３に表示された画像やアイコンに指等を接触させる等の操作を行うことにより、その操作をタッチパネル３３Ａを介して取得し、プリントサイズの情報、プリント対象となる画像データを特定する情報（コマ番号）、プリント枚数等のオーダデータをＧＵＩ式に取得できるように構成されている。
【００３８】
処理端末Ｂと受付装置Ｃとの情報処理系の概要を図４に示している。つまり、処理端末Ｂのコンピュータ本体２１には、マイクロプロセッサＣＰＵに信号のアクセスを行う入出力インタフェース４１を備えており、この入出力インタフェース４１に対してディスプレイ２２、キーボード２３、マウス２４、メディアドライブ２１Ａ、カードリーダ２５夫々が接続すると共に、通信ユニット４２が接続している。
【００３９】
ＣＰＵのデータバスには、タイマー調整手段４３、識別情報処理手段４４、画像データ保存手段４５、撮影時刻テーブル生成手段４６（撮影時刻情報取得手段の一例）、伝送処理手段４７夫々が接続すると共に、ハードディスク４８が接続している。図面には示していないが、この情報処理系ではＣＰＵのデータバスに半導体メモリが接続しており、オペレーティングシステムが制御を管理する。
【００４０】
受付装置Ｃの制御ユニット３５には、マイクロプロセッサＣＰＵに信号のアクセスを行う入出力インタフェース５１を備えており、この入出力インタフェース５１に対してモニタ３３、タッチパネル３３Ａ、引換証プリンタ３４、カードリーダ３２が接続すると共に、通信ユニット５２が接続している。
【００４１】
ＣＰＵのデータバスには、カード情報取得手段５３、撮影情報取得手段５４、画像データ取得手段５５、関連付手段５６、オーダ画面表示手段５７、オーダデータ取得手段５８夫々が接続すると共に、ハードディスク５９が接続している。図面には示していないが、この制御ユニット３５では、ＣＰＵのデータバスに半導体メモリが接続しており、オペレーティングシステムが制御を管理する。
【００４２】
タイマー調整手段４３は、カードリーダ２５から被写体特定タグＴに制御コードを伝送することにより、被写体特定タグＴのタイマー１２の時刻情報を適正にする調整を実現する。識別情報処理手段４４は、カードリーダ２５から被写体特定タグＴに制御コードを伝送することにより、被写体特定タグＴの半導体メモリ１４に保存されている識別情報をユニークで任意の値や名前等の文字情報に変更することや、識別情報に名前を付加する形態で記憶する処理を行う。
【００４３】
画像データ保存手段４５は、デジタルカメラＤにおいて撮影に使用されたメディアＭに保存されている画像データをメディアドライブ２１Ａを介して取り込み、ハードディスク４８に保存する。撮影時刻テーブル生成手段４６は、各画像データのファイルのヘッダー領域に保存されているＥｘｉｆ情報から撮影時刻情報を取得する撮影時刻情報取得手段として機能する。この撮影時刻テーブル生成手段４６は、撮影時刻情報と、その撮影時刻情報に撮影された画像データのコマ番号（画像データのファイルに与えられた番号）とを関連付けた撮影時刻テーブルを生成する。伝送処理手段４７は、通信ネットワークＬを介して画像データと撮影時刻テーブルとを受付装置Ｃに伝送する。
【００４４】
カード情報取得手段５３は、カードリーダ３２を介して被写体特定タグＴの半導体メモリ１４に保存されている識別情報と、受光時刻情報を取得する。ちなみに、受光時刻情報保存領域１４Ａに保存されている識別情報はＣＳＶ等のデータ構造のファイルであり、このファイルのファイル名として識別情報が付されている。従って、カード情報取得手段５３はファイルから受光時刻情報を読み出す処理を行うと共に、ファイルからファイル名を取得する処理を行うことになる。撮影情報取得手段５４は、処理端末Ｂにおいて既に生成されている撮影時刻テーブルを取得する。
【００４５】
尚、本発明では、タグ本体１０の表面にプリントされた数字で成る識別情報を、ユーザがタッチパネル３３Ａを介して入力した場合にも識別情報を取得するように識別情報の取得系を構成しても良い。
【００４６】
画像データ取得手段５５は、処理端末Ｂで取得した画像データが通信ネットワークＬにより受付装置Ｃに伝送された場合に、その画像データをハードディスク５９に保持する。関連付手段５６は、撮影時刻テーブルと受光時刻情報とに基づいて、識別情報と画像データとを関連付ける関連付情報を生成する。つまり、関連付手段５６は、受光時刻情報と一致又は近似する撮影時刻情報の画像データを抽出し、その識別情報を、その画像データのコマ番号に関連付ける関連付情報を生成する。
【００４７】
オーダ画面表示手段５７は、図７に示すオーダ画面６０をモニタ３３に表示する。このオーダデータ取得手段５８は、タッチパネル３３Ａに対する操作からオーダデータを取得する。また、オーダ画面表示手段５７は、オーダ画面６０に対して識別情報に関連付けられた画像データのみを表示するソート表示モードでの表示、又は、図８に示すように、全ての画像データを表示可能にすると共に、表示された画像データに識別情報（オーダを行うユーザの識別情報）が関連付けられている場合には、その画像データを強調表示する一覧表示モードでの表示を行う。
【００４８】
タイマー調整手段４３、識別情報処理手段４４、画像データ保存手段４５、撮影時刻テーブル生成手段４６、伝送処理手段４７、及び、カード情報取得手段５３、撮影情報取得手段５４、画像データ取得手段５５、関連付手段５６、オーダ画面表示手段５７、オーダデータ取得手段５８はソフトウエアで構成されるものであるが、例えば、ソフトウエアとハードウエアとの組み合わせで構成して良く、ハードウエアのみによって構成しても良い。
【００４９】
〔処理の流れ〕
本発明の画像処理システムにおける処理の流れの概要を図６のフローチャートに示し、情報の流れを図５のように示すことが可能である。この処理の流れでは、結婚式やパーティにおいてカメラマンがデジタルカメラＤで式場内や会場の人物Ａを撮影し、カメラマンが撮影した画像データから、その会場の人物Ａがユーザとしてプリントすべき画像データをオーダするまでの処理の流れが示されている。
【００５０】
つまり、会場に招かれている人物の人数に対応する数の被写体特定タグＴが準備され、デジタルカメラＤのクロックの時刻を適正に調整すると共に、複数の被写体特定タグＴのタイマー１２の時刻を適正に調整し、更に、被写体特定タグＴを装着する人物の名前を、その被写体特定タグＴに付与（記憶）する（＃０１ステップ）。
【００５１】
この処理では、デジタルカメラＤのクロックの時刻を適正にする調整はデジタルカメラＤを直接操作することになる。
【００５２】
被写体特定タグＴのタイマー１２を調整する際には、処理端末Ｂにおいてカードリーダ２５に被写体特定タグＴをセットした状態で、コンピュータ本体２１で所定の操作を行うことにより、タイマー調整手段４３が時刻情報と制御コードとを被写体特定タグＴに伝送する。被写体特定タグＴではアンテナ１５Ａを介して入出力制御回路１５が時刻情報と制御コードとを受信し、タイマー調整部１８がタイマー１２の時刻情報を書き換える処理を行う。
【００５３】
これと同様に、被写体特定タグＴに、その被写体特定タグＴを装着する人物の名前を記憶する際には、処理端末Ｂにおいてカードリーダ２５に被写体特定タグＴをセットした状態で所定の操作を行うことにより、識別情報処理手段４４が名前の情報と制御コードとが被写体特定タグＴに伝送される。被写体特定タグＴではアンテナ１５Ａを介して入出力制御回路１５が名前の情報と制御コードとを受信し、識別情報編集部１７が半導体メモリ１４の識別情報保存領域１４Ｂの識別情報に名前を付加するように書き込む処理を行う。
【００５４】
尚、被写体特定タグＴに、その被写体特定タグＴを装着する人物の名前を記憶する処理は必ずしも必要としないが、被写体特定タグＴに名前を記憶することで、受付装置Ｃにおいてオーダを行う人物の名前をオーダ画面６０（図７を参照）に表示することが可能となる。また、人物の名前を付するためには会場等に集まる人物Ａの名前を名簿等により予め取得しておくことが効率的であるが、会場に人物が入場する際に名前を訊き、その名前を被写体特定タグＴに付与する処理を行っても良い。
【００５５】
このように名前が与えられた被写体特定タグＴは、会場に入室する際に、人物Ａの名前を確認して手渡され、その人物Ａのジャケットのポケットや、襟元にクリップ５により、受光素子Ｓが人物Ａの前方に向かうように装着される（＃０２ステップ）。
【００５６】
この後、デジタルカメラＤで撮影が行われる（シャッターが切られる）毎に撮影領域に存在する人物Ａの被写体特定タグＴの受光素子Ｓがストロボ光を受光する。この受光時にはトリガー回路１１からの制御信号により受光時刻情報保存処理部１３がタイマー１２から時刻情報を取得し、これを受光時刻情報として半導体メモリ１４の受光時刻情報保存領域１４Ａに保存する（＃０３ステップ）。
【００５７】
尚、市販されているデジタルカメラＤでは撮影に伴いメディアＭに記録される画像データのヘッダー領域にＥｘｉｆ情報が保存される。このＥｘｉｆ情報には撮影日時、撮影時のシャッター速度、レンズの絞り値（Ｆ値）、ストロボ発光器Ｄｓの使用の有無等の情報が書き込まれる。
【００５８】
撮影が終了すると、デジタルカメラＤで撮影に使用されたメディアＭを処理端末Ｂのコンピュータ本体２１のメディアドライブ２１Ａにセットして画像データを取得する（＃０４、＃０５ステップ）。
【００５９】
コンピュータ本体２１では、画像データ保存手段４５が画像データをハードディスク４８に保存すると同時に、各画像データのヘッダー領域に保存されているＥｘｉｆ情報を取得する。撮影時刻テーブル生成手段４６は、取得したＥｘｉｆ情報から撮影時刻情報を抽出し、撮影時刻情報と、その時刻に撮影された画像データのコマ番号（例えば、画像データのファイル番号等）とを関連付けた撮影時刻テーブルを生成する。この撮影時刻テーブルは、各画像データのコマ番号と、その画像データが撮影された時刻とを関連付けるファイルとして生成される。
【００６０】
このように生成された撮影時刻テーブルのファイルと、画像データとは伝送処理手段４７が通信ネットワークＬを介して各受付端末Ｂに伝送する（＃０６ステップ）。
【００６１】
この後、ユーザ（撮影された人物Ａ）が被写体特定タグＴを受付装置Ｃのカードリーダ３２に接近させ、このカードリーダ３２が被写体特定タグＴとアクセス可能な状態に達すると、カード情報取得手段５３が受光時刻情報のファイルを要求し、処理端末Ｂが受光時刻情報が保存されたファイルを取得する。これにより、受付装置Ｃで受光時刻情報と識別情報とが取得される（＃０７、＃０８ステップ）。
【００６２】
つまり、カード情報取得手段５３から受光時刻情報のファイルを要求する制御コードを、被写体特定タグＴの入出力制御回路１５が受信した場合には、この制御コードを出力制御部１６に与える。出力制御部１６は半導体メモリ１４の受光時刻情報保存領域１４Ａに保存されている受光時刻情報と、識別情報保存領域１４Ｂに保存されている識別情報とを読み出して入出力制御回路１５に与える。この情報は前述したように、ファイルのファイル名として識別情報が付され、受光時刻情報がＣＳＶ等のデータ構造となるファイルである。このファイルは入出力制御回路１５からアンテナ１５Ａをカードリーダ３２に送信され、カード情報取得手段５３が取得する。
【００６３】
受光時刻情報と撮影時刻情報とを取得した後には、関連付手段５６が、撮影時刻テーブルに保存されている複数の撮影時刻情報と、ファイル化された受光時刻情報との対比から関連付情報を生成する（＃０９ステップ）。
【００６４】
この処理では、複数の受光時刻情報と、複数の撮影時刻情報とを比較し、一致するもの、又は、近似するものを特定して関連付情報を生成する。関連付情報は、画像データのコマ番号（例えば、画像データのファイル番号等）と、識別情報とを関連付けるデータ構造となる。
【００６５】
つまり、撮影時刻テーブルは、撮影が行われた複数の時刻情報を画像データに関連付けた（画像データのコマ番号に関連付けた）データ構造を有している。また、受光時刻情報も同様に受光した複数の時刻情報を連続して保存したデータ構造を有している。従って、各々の受光時刻情報について、時刻が一致する、又は、近似するものを撮影時刻テーブルの中から特定し、特定した撮影時刻に関連付けられた画像データに対して被写体特定タグＴの識別情報を関連付けることになる。
【００６６】
このように関連付けを行う際に、受光時刻情報と撮影時刻情報との間に誤差が存在する場合、この誤差は、識別情報の受光時刻情報と撮影時刻情報との間で同じ値をとるため、例えば、連続した撮影が行われた場合のように撮影時刻情報の間隔が短い場合でも、受光時刻情報に対してその識別情報固有の誤差の値を反映させて対比を行うことで正確に撮影時刻情報に関連付ける情報を生成することが可能となる。
【００６７】
次に、モニタ３３に図７に示すオーダ画面６０を表示し、識別情報に対応した画像データを表示し、オーダデータを取得する（＃１０〜＃１２ステップ）。
【００６８】
オーダ画面６０は、中央部に複数の画像データのサムネイル画像を一覧化して表示する画像表示部６１と、プリント枚数を表示する枚数表示部６２と、プリント枚数を増減する枚数変更ボタン６３とが形成されている。また、画像表示部６１の下側には、ページを切換える形態で複数の画像表示部６１のサムネイル画像を切り換えて表示するページ切換ボタン６４が配置されている。
【００６９】
更に、オーダ画面６０の下段位置には、処理の中止のための操作と、前の処理に戻るための操作と、処理を完了する操作とを実現する３種の制御ボタン６５が形成され、この制御ボタン６５に隣接する位置にプリントサイズ、プリントの合計枚数、プリント料金の合計金額を表示する情報表示部６６が形成され、この近傍位置に全ての画像データのプリント枚数を増減する増減ボタン６７と、表示モード選択ボタン６８とが形成されている。
【００７０】
このように受付装置Ｃのカードリーダ３２に対して、被写体特定タグＴを接近させて情報のアクセスを行った場合には、被写体特定タグＴが取得した識別情報に基づきその人物が撮影されている画像データが抽出され、ソート表示モードでオーダ画面６０に表示される。このオーダ画面６０に表示される画像の数は限られているため、ページ切換ボタン６４を操作することにより、ソート表示されている画像の全ての確認が可能となる。そして、この表示から必要とするものをユーザが選択することでオーダデータが取得される。
【００７１】
また、このオーダ画面６０の上端には、タイトルとしてユーザの名前と、そのユーザが撮影されている可能性が高いものを表示している旨のメッセージが表示される。そして、表示モード選択ボタン６８を選択した場合には、一覧表示モードでオーダ画面６０が表示される。このオーダ画面６０は、ページ切換ボタン６４を操作することにより、カメラマンが撮影した全ての画像データを表示することが可能となる。特に、この表示が行われる際には、オーダ画面６０のタイトルとして、ユーザの名前と、そのユーザが撮影されている可能性が高いものについて周囲を強調表示している旨のメッセージが表示される。
【００７２】
強調表示の形態として、画像表示部６１の周囲のフレーム部Ｆを、ユーザが撮影されていないものより明るい明度にすること、異なる色相にすること、あるいは、ブリンクさせること等が選択される。また、強調表示の別形態として、画像データの近傍にアイコンを表示することや、メッセージを表示しても良い。
【００７３】
このオーダ画面６０において、ユーザがプリント対象とすべき画像データを指定し、プリント枚数を指定し、オーダの入力を終了することにより、オーダデータが生成され、そのオーダデータに識別情報を付して保存される。そして、識別情報とユーザの名前とを含む引換証Ｒが引換証プリンタ３４でプリントされ、ユーザに引き渡される（＃１３ステップ）。
【００７４】
このように取得されたオーダデータに基づきプリント装置でプリント媒体に画像データのプリントを行うプリント処理が実現する。また、オーダデータとして画像データをＣＤ−Ｒ等のメディアに書き込むことで電子アルバムを作成する処理も可能となる。
【００７５】
また、前述した受付装置Ｃでは、プリント料金を表示するものであるが、結婚式場のようにプリント料金を請求しない環境に設置される場合には、プリント料金を表示する必要はない。
【００７６】
〔画像処理システムの変形例〕
この別実施形態では前述した実施形態の処理端末Ｂを用いずに、図９に示すように、デジタルカメラＤの画像データを受付装置Ｃで取得し、この後、ユーザが被写体特定タグＴをカードリーダ３２に接近させることにより、前記実施形態と同様に、そのユーザが撮影されている可能性が高い画像データをソートして表示するように画像処理システムを構成している。
【００７７】
つまり、受付装置Ｃは、前述した実施形態と同様に、筐体３１にタッチパネル３３Ａを有したモニタ３３を備え、筐体３１にカードリーダ３２を備え、筐体３１の内部に制御ユニット３５を備えている。筐体３１の前面にはレシートｒｅにプリントを行うレシートプリンタ３６と、メディアドライブ３７とを備えている。この受付装置Ｃを支持するケース７０には、プリント処理ユニットＰと、料金精算ユニットＱとを備えている。
【００７８】
プリント処理ユニットＰはプリント媒体Ｐａに対して画像データをプリントして排出する。料金精算ユニットＱはコイン投入口７１、紙幣投入口７２等を有し、プリント料金を受領する処理を実現する。
【００７９】
受付装置Ｃの制御ユニット３５には、図１０に示すようにマイクロプロセッサＣＰＵに信号のアクセスを行う入出力インタフェース５１を備えており、この入出力インタフェース５１に対してモニタ３３、タッチパネル３３Ａ、メディアドライブ３７、レシートプリンタ３６、カードリーダ３２が接続している。
【００８０】
また、ＣＰＵのデータバスには、カード情報取得手段５３、撮影情報取得手段５４（撮影時刻情報取得手段の一例）、画像データ取得手段５５、関連付手段５６、オーダ画面表示手段５７、オーダデータ取得手段５８、プリント制御手段７３、料金処理手段７４夫々が接続すると共に、ハードディスク５９が接続している。図面には示していないが、この情報処理系にはＣＰＵのデータバスに半導体メモリが接続しており、オペレーティングシステムが制御を管理する。
【００８１】
カード情報取得手段５３は、カードリーダ３２を介して被写体特定タグＴの半導体メモリ１４に保存されている識別情報と、受光時刻情報を取得する。ちなみに、受光時刻情報保存領域１４Ａに保存されている識別情報はＣＳＶ等のデータ構造のファイルであり、このファイルの名称に識別情報が付される。従って、カード情報取得手段５３はファイルから受光時刻情報を読み出す処理を行うと共に、ファイルからファイルの名称を取得する処理を行うことになる。撮影情報取得手段５４は、撮影時刻情報取得手段として機能するものであり、メディアドライブ３７でメディアＭから取得されている画像データのＥｘｉｆ情報から撮影時刻情報を取得する。
【００８２】
画像データ取得手段５５は、メディアドライブ３７を介してメディアＭからその画像データを取得しハードディスク５９に保存する。関連付手段５６は、撮影時刻情報と受光時刻情報とに基づいて、識別情報と画像データとを関連付ける関連付情報を生成する。つまり、関連付手段５６は、受光時刻情報と一致又は近似する撮影時刻情報の画像データを抽出し、その識別情報を、その画像データのコマ番号に関連付ける関連付情報を生成する。
【００８３】
オーダ画面表示手段５７は、実施形態と同様に図７に示すオーダ画面６０をモニタ３３に表示し、オーダデータ取得手段５８はタッチパネル３３Ａに対する操作からオーダデータを取得する。また、オーダ画面表示手段５７は、オーダ画面６０に対して識別情報に関連付けられた画像データのみを表示するソート表示モードでの表示、又は、全ての画像データの表示を可能にすると共に、表示された画像データに識別情報（オーダを行うユーザの識別情報）が関連付けられている場合には、その画像データを強調表示する一覧表示モードでの表示を行う。
【００８４】
プリント制御手段７３は、オーダデータをプリント処理ユニットＰに伝送し、このプリント制御手段７３においてプリント媒体に対するプリント処理を実現する。料金処理手段７４はオーダデータに基づいてプリント処理に必要な料金をモニタ３３に表示し、料金精算ユニットＱに対して料金の投入の有無の判別等を行う。
【００８５】
〔変形例の処理の流れ〕
この変形例では、前述した実施形態のように処理端末Ｂで処理を行わず、画像データを受付装置Ｃで取得した後に、この受付装置Ｃのカードリーダ３２で受光時刻情報と識別情報とを取得することで、実施形態と同様の処理が行われ、処理の流れの概要を図１２のフローチャートに示し、情報の流れを図１１のように示すことが可能である。
【００８６】
つまり、被写体特定タグＴを人物に装着し、デジタルカメラＤで撮影を行い、この撮影が終了した後に、このデジタルカメラＤで撮影に使用されたメディアＭを受付装置Ｃのメディアドライブ３７にセットして画像データを取得する。取得した画像データはハードディスク５９に保存されると共に、各画像データから撮影時刻情報が取得される（＃１０１〜＃１０５ステップ）。
【００８７】
次に、ユーザ（撮影された人物Ａ）が被写体特定タグＴを受付装置Ｃのカードリーダ３２に接近させ、このカードリーダ３２が被写体特定タグＴとアクセス可能な状態に達すると、カード情報取得手段５３が受光時刻情報のファイルを要求し、受付装置Ｃは受光時刻情報が保存されたファイルを取得する。これにより、受光時刻情報と識別情報とが取得される（＃１０７、＃１０８ステップ）。
【００８８】
受光時刻情報と撮影時刻情報とを取得した場合には、関連付手段５６が、撮影時刻テーブルに保存されている複数の撮影時刻情報と、ファイル化された受光時刻情報とを対比して関連付情報を生成する（＃１０９ステップ）。
【００８９】
この後、モニタ３３にオーダ画面６０が表示され、このオーダ画面６０には、被写体特定タグＴを接近させて情報のアクセスを行った人物が撮影されている画像データが抽出され、ソート表示モードで表示される。このオーダ画面６０に表示される画像の数は限られているため、ページ切換ボタン６４を操作することにより、ソート表示されている画像の全ての確認が可能となる。そして、この表示から必要とするものをユーザが選択することでオーダデータが取得される。
【００９０】
表示モード選択ボタン６８を選択した場合には、一覧表示モードでオーダ画面６０が表示される。このオーダ画面６０は、カメラマンが撮影した全ての画像データを表示することが可能となる。特に、この表示が行われる際には、識別情報が関連付けられている画像データが強調表示される。
【００９１】
オーダが終了した場合には、モニタ３３にプリントに必要な料金の額が表示され、この表示に対応して料金精算ユニットＱに料金が支払われた場合に、プリント処理ユニットＰにオーダデータが伝送されプリント処理が行われる。
【００９２】
〔実施形態の効果〕
このように本発明では、ストロボ光を受光したタイミングの時刻情報を保存するように被写体特定タグＴを構成している。従って、この被写体特定タグＴを複数の人物に装着した状態でストロボ発光器Ｄｓを有したデジタルカメラＤで撮影を行うことにより、被写体特定タグＴには受光時刻情報が保存される。また、被写体特定タグＴは被写体としての人物Ａの正面側に装着されるので、撮影時にデジタルカメラＤに背を向けた姿勢の人物Ａの被写体特定タグＴには撮影時刻情報が保存されず、これと同様に、デジタルカメラＤの撮影領域から外れた位置の人物Ａについても、被写体特定タグＴには撮影時刻情報は保存されない。
【００９３】
撮影の後には、保存された受光時刻情報と、画像データのＥｘｉｆ情報の撮影時刻情報とから生成した関連付情報に基づいて、その被写体特定タグＴを装着した人物が撮影された画像データを複数の画像データから抽出してモニタ３３に表示することが可能となる。
【００９４】
この表示を受付装置Ｃで行うことにより、受付装置Ｃでユーザが被写体特定タグＴをカードリーダ３２に接近させて情報のアクセスを行うだけで、受付装置Ｃのモニタ３３にオーダ画面６０が表示されると共に、このオーダ画面６０にはユーザが撮影されている可能性が高い画像データをソートして表示されることになり、ユーザは自分が撮影されていない画像データのチェックを行うと云う無駄な操作を行わずに済む。
【００９５】
また、処理端末Ｂを備え、複数の受付装置Ｃと通信ネットワークＬで接続することにより、複数のユーザから同時にオーダデータを取得でき、複数の受付装置Ｃで取得したオーダデータを処理端末Ｂで取得することも可能となる。
【００９６】
〔別実施形態〕
本発明は、上記した実施の形態以外に以下のように構成しても良い。
【００９７】
（ａ）実施形態の処理として、処理端末Ｂでは被写体特定タグＴのタイマー１２の時刻の調整を行わず、夫々の被写体特定タグＴと正確な時刻との誤差の値でだけ記憶し、この誤差の値を識別情報に関連付けて受付装置Ｃに伝送するように処理形態を設定する。
【００９８】
このように処理形態を設定することにより、被写体特定タグＴのタイマー１２の値を調整しなくとも、撮影時刻情報と受光時刻情報とに基づいて複数の被写体特定タグＴ毎に関連付情報の生成が可能となる。
【００９９】
（ｂ）被写体特定タグＴとして、電気的な端子を有するものを用い、例えば、メディアドライブに挿入することによって、受光時刻情報と識別情報とを伝送できるように構成する。このように構成することにより、カードリーダを用いずに、メディアドライブを用いて簡便にシステムを構成できる。
【０１００】
（ｃ）デジタルカメラＤの撮影にズームレンズを用いる場合には、ズームレンズの焦点距離に対応してストロボ発光器Ｄｓの発光領域を調整できるものを用いる。この調整としては光源の前面位置に、例えば、集光レンズやディフューザ等を位置調節自在に備え、ズームレンズの調節に対応して集光レンズやディフューザ等による集光・拡散の程度を変更することで対応できる。
【０１０１】
（ｄ）デジタルカメラＤで撮影された画像データの撮影時刻情報と、被写体特定タグＴのタイマー１２の値との誤差をできるだけ小さくするため、例えば、人物の撮影を開始する以前にデジタルカメラＤで被写体特定タグＴだけを撮影する。この撮影の後に、被写体特定タグＴから受光時刻情報を取得して誤差を求め、この誤差の値だけタイマー１２の時刻の調整を行う。この調整を行うことにより、デジタルカメラＤの撮影時刻情報と被写体特定タグＴの受光時刻情報との誤差を極めて小さいものにできる。
【０１０２】
（ｅ）複数のデジタルカメラＤで撮影された画像データについて関連付けを行えるように処理端末Ｂの関連付手段５６を構成する。この場合、複数のデジタルカメラＤで撮影された画像データを１つのフォルダに保存する等、同じディレクトリに保存することにより、デジタルカメラＤで撮影された画像データ毎に関連付けを行うように処理形態を設定することが考えられる。
【０１０３】
（ｆ）撮影を生業とするカメラマンが撮影を行うのではなく、パーティ等に参加している人物が持参した複数のデジタルカメラＤの画像データを取得しても良い。このようにシステムを構成した場合にも、処理形態は実施形態や、実施形態の変形例と基本的に変わるものではなく、同様の処理で済む。
【０１０４】
（ｇ）本発明の被写体特定タグＴは、必ずしも識別情報を保存する必要はなく、被写体特定タグＴを受付装置Ｃにセットしてプリントをオーダする場合に、その被写体特定タグＴの受光時刻情報（タイマー情報）だけを取得し、この受光時刻情報と一致する撮影時刻情報を有する画像データを受付装置Ｃのモニタ３３に表示するだけでソート表示が実現する。特に、画像処理システムの変形例のように、オーダデータを保存して送り出す等の処理を行わずに、モニタ３３を備えた装置においてプリントを行うものでは識別情報を用いずに処理を完結させることも可能となる。
【図面の簡単な説明】
【０１０５】
【図１】画像処理システムの構成を示す図
【図２】被写体特定タグの構成を示すブロック図
【図３】被写体特定タグの斜視図
【図４】画像処理システムの構成を示すブロック図
【図５】画像処理システムにおいて情報の流れを示す図
【図６】画像処理システムの処理の流れを示すフローチャート
【図７】ソート表示モードにおけるオーダ画面を示す図
【図８】一覧表示モードにおけるオーダ画面を示す図
【図９】画像処理システムの変形例の構成を示す図
【図１０】画像処理システムの変形例の構成を示すブロック図
【図１１】画像処理システムの変形例において情報の流れを示す図
【図１２】画像処理システムの変形例の処理の流れを示すフローチャート
【符号の説明】
【０１０６】
１２          タイマー
１３          受光タイミング保存処理部（受光時刻情報保存処理部）
１４          半導体メモリ
１６          出力制御部
３３          モニタ
３３Ａ        入力端末（タッチパネル）
４６          撮影時刻情報取得手段（撮影時刻テーブル生成手段）
５４          撮影時刻情報取得手段（撮影情報取得手段）
５５          画像データ取得手段
５６          関連付手段
５７          オーダ画面表示手段
５８          オーダデータ取得手段
Ｄ            デジタルカメラ
Ｓ            受光素子
Ｔ            被写体特定タグ
【図１】
2010147890.tif 000003
【図２】
2010147890.tif 000004
【図３】
2010147890.tif 000005
【図４】
2010147890.tif 000006
【図５】
2010147890.tif 000007
【図６】
2010147890.tif 000008
【図７】
2010147890.tif 000009
【図８】
2010147890.tif 000010
【図９】
2010147890.tif 000011
【図１０】
2010147890.tif 000012
【図１１】
2010147890.tif 000013
【図１２】
2010147890.tif 000014